(57)【要約】【課題】電線との接続部への異物の混入を防止するとともに作業効率を向上したコネクタを提供する。【解決手段】コネクタ１０は、電線２７の端末と接続される電線接続部２４、電線接続部２４から連なり相手方端子と接続される端子接続部２１、および電線接続部２４と端子接続部２１との間をつなぐ溝状の連結部２３を有する端子２０と、端子２０を収容する端子収容室１２が設けられたハウジング１１と、を備える。また、コネクタ１０は、端子２０の連結部２３に取り付けられることにより電線接続部２４を保護する保護部材１６と、ハウジング１１に取り付けられ、端子収容室１２に収容された端子２０の連結部２３に仮保持された保護部材１６を、保持位置まで移動可能なリテーナ１５と、を備える。【選択図】図３
2014029768.tif 000002
【特許請求の範囲】
【請求項１】
電線の端末と接続される電線接続部、前記電線接続部から連なり相手方端子と接続される端子接続部、および前記電線接続部と前記端子接続部との間をつなぐ溝状の連結部を有する端子と、
前記端子を収容する端子収容室が設けられたハウジングと、を備えるコネクタであって、
前記端子の前記連結部に取り付けられることにより前記電線接続部を保護する保護部材と、
前記ハウジングに取り付けられ、前記端子収容室に収容された前記端子の連結部に仮保持された前記保護部材を、保持位置まで移動可能なリテーナと、を備えるコネクタ。
【請求項２】
前記保護部材と前記リテーナとが一体である請求項１に記載のコネクタ。
【請求項３】
前記保護部材が弾性材料からなる請求項１または請求項２に記載のコネクタ。
【発明の詳細な説明】
【技術分野】
【０００１】
本発明は、コネクタに関する。
【背景技術】
【０００２】
コネクタの端子収容室には、電線の端末と接続される電線接続部、および電線接続部から連なり相手方端子と接続される端子接続部を有する端子が収容されている。
【０００３】
このような端子においては、電線接続部への異物（水やゴミなど）の混入が懸念されるため、たとえば、特許文献１に記載されている端子のように、電線接続部に熱収縮チューブを取り付ける等の対策が採られている。
【先行技術文献】
【特許文献】
【０００４】
【特許文献１】特開２０００−２８５９８３号公報
【発明の概要】
【発明が解決しようとする課題】
【０００５】
上記特許文献に記載されているような端子を複数備えるコネクタでは、端子ごとに、熱収縮チューブを取り付けた後、加熱することにより熱収縮チューブを電線接続部に密着させるという作業が必要であるため、手間がかかるという問題があった。
【０００６】
本発明は上記のような事情に基づいて完成されたものであって、電線との接続部への異物の混入を防止するとともに作業効率を向上したコネクタを提供することを目的とする。
【課題を解決するための手段】
【０００７】
上記課題を解決するものとして、本発明は、電線の端末と接続される電線接続部、前記電線接続部から連なり相手方端子と接続される端子接続部、および前記電線接続部と前記端子接続部との間をつなぐ溝状の連結部を有する端子と、前記端子を収容する端子収容室が設けられたハウジングと、を備えるコネクタであって、前記端子の前記連結部に取り付けられることにより前記電線接続部を保護する保護部材と、前記ハウジングに取り付けられ、前記端子収容室に収容された前記端子の連結部に仮保持された前記保護部材を、保持位置まで移動可能なリテーナと、を備えるコネクタである。
【０００８】
本発明においては、コネクタのハウジングに端子の連結部に配置される保護部材を仮保持状態から保持状態に移動可能なリテーナが組みつけられているから、リテーナを移動させるだけで、端子の電線接続部への異物の混入を防止する保護部材の取付が完了するので、作業効率が向上する。
【０００９】
その結果、本発明によれば、電線との接続部への異物の混入を防止するとともに作業効率を向上したコネクタを提供することができる。
【００１０】
本発明は以下の構成としてもよい。
前記保護部材と前記リテーナとが一体であってもよい。このような構成とすると、部品点数を減らすことができる。
【００１１】
前記保護部材が弾性材料からなる構成であってもよい。このような構成とすると、電線接続部に防水性を付与することができる。防水性が付与されれば、例えば電線の芯線と端子とが相違する金属材料からなるときに発生しうる異種金属の接触による腐食を防止できる。
【発明の効果】
【００１２】
本発明によれば、電線との接続部への異物の混入を防止するとともに作業効率を向上したコネクタを提供することができる。
【図面の簡単な説明】
【００１３】
【図１】保護部材が仮保持状態にあるときのコネクタの一部断面図
【図２】図１のＡ−Ａ線方向におけるコネクタの一部断面図
【図３】保護部材が保持状態にあるときのコネクタの一部断面図
【図４】図１のＢ−Ｂ線方向におけるコネクタの一部断面図
【発明を実施するための形態】
【００１４】
＜実施形態１＞
本発明の実施形態１を図１ないし図４によって説明する。図１および図３において左側を前方とし右側を後方とする。
実施形態１のコネクタ１０は、相手方端子（図示せず）と接続可能な端子２０と、端子２０を収容する端子収容室１２が設けられたハウジング１１と、を備える。
【００１５】
ハウジング１１の左端部には相手方端子を挿入可能な端子挿通口１３が形成されている。端子収容室１２は詳細は図示しないが、端子２０を係止可能な公知の形状のランス等が設けられている。ハウジング１１にはリテーナ１５が取り付けられている。リテーナ１５については後述する。
【００１６】
端子２０は、例えば銅製または銅合金製の金属板材をプレスして曲げ加工を施したものである。端子２０は、相手方端子との接続部が形成された箱状の端子接続部２１と、電線２７の端末に接続される電線接続部２４と、端子接続部２１と電線接続部２４とをつなげる連結部２３と、を有する。図１では、電線接続部２４の電線２７が載置される面（電線載置部２４Ａ)から連なる面が上側に配されている。
【００１７】
端子接続部２１内には詳細は図示しないが、相手側端子と接触して電気的に接続される弾性接触片（図示せず）が形成されており、端子接続部２１の後端部には、端子収容室１２内への挿入動作の案内などに機能するスタビライザ２２が下方に突出形成されている。端子接続部２１の上壁２１Ａは、図１に示すように、後方の連結部２３に連なっている。
【００１８】
端子接続部２１の後方には、図２に示すように、下方が開口した溝状の連結部２３が連なっている。連結部２３内には、保護部材１６が嵌り込むようになっている。連結部２３の上側に配される部分を上壁部２３Ａ、上壁部２３Ａの両側から下方に延出されている部分を側壁部２３Ｂ，２３Ｂとする。
【００１９】
連結部２３の後方には、図１に示すように、電線２７の端末が接続される電線接続部２４が連なっている。電線接続部２４には、電線２７の載置される電線載置部２４Ａから幅方向両側に延出されたバレル片２５，２６が２組形成されている。２組のバレル片２５，２６のうち前側のバレル片２５は電線２７の端末において露出する芯線２８に圧着されるワイヤバレル片２５であり、後側のバレル片２６は電線２７の絶縁樹脂製の被覆材２９により被覆された被覆部２９Ａに圧着されるインシュレーションバレル片２６である。
【００２０】
電線２７はアルミニウム、アルミニウム合金、銅、および銅合金から選ばれる材料からなる金属素線を含む芯線２８を、絶縁樹脂製の被覆材２９で被覆したものであり、その端末においては、被覆材２９の剥離除去により芯線２８が露出している。
【００２１】
さて、本実施形態においては、ハウジング１１に合成樹脂製のリテーナ１５が組み付けられている。リテーナ１５は、連結部２３の直下に配されている。本実施形態においては、リテーナ１５と、リテーナ１５の上面に配置された保護部材１６とは、例えば二色成形または接着剤により接合されて一体である。
【００２２】
保護部材１６は、図２に示すように、連結部２３内に嵌り込む断面視方形状の本体部１８と、本体部１８の両側に形成され、連結部２３の側壁部２３Ｂ，２３Ｂを受け入れる受け入れ溝１７Ａが形成された受け入れ部１７を有する。保護部材１６はゴムなどの弾性材料からなる。
【００２３】
次に本実施形態のコネクタ１０の組み立て方法について説明する。
ハウジング１１の端子収容室１２に電線２７の端末を接続した端子２０を収容しておき、リテーナ１５を下方から取り付ける。
リテーナ１５を取り付けるときには、端子２０の連結部２３の直下に保護部材１６を配して、連結部２３内に保護部材１６の本体部１８を一部嵌めこむ。保護部材１６の本体部１８の一部が嵌めこまれると仮保持状態となる（図１および図２を参照）。
【００２４】
次にリテーナ１５を、保護部材１６の本体部１８の上端面が連結部２３の上壁部２３Ａと当接する位置まで上方に移動させると、受け入れ部１７の受け入れ溝１７Ａに連結部２３の側壁部２３Ｂ，２３Ｂが受け入れられ保持状態となる（図３および図４を参照）。図３および図４に示す状態が保持位置である。これにより保護部材１６がリテーナ１５によって保持されたコネクタ１０が得られ、連結部２３内に嵌めこまれた保護部材１６により電線接続部２４への異物の浸入が防止される。
【００２５】
次に本実施形態の作用および効果を説明する。
本実施形態においては、コネクタ１０のハウジング１１に端子２０の連結部２３に配置される保護部材１６を仮保持状態から保持状態に移動可能なリテーナ１５が組みつけられている。したがって、本実施形態によれば、リテーナ１５を移動させるだけで、端子２０の電線接続部２４への異物の混入を防止する保護部材１６の取付が完了するので、作業効率が向上する。
【００２６】
また、本実施形態によれば、保護部材１６とリテーナ１５とが一体であるから、部品点数を減らすことができる。
【００２７】
さらに、本実施形態によれば、保護部材１６が弾性材料からなる構成であるから、電線接続部２４に防水性を付与することができる。防水性が付与されれば、例えば電線２７の芯線２８と端子２０とが相違する金属材料からなるときに発生しうる異種金属の接触による腐食を防止できる。
【００２８】
＜他の実施形態＞
本発明は上記記述及び図面によって説明した実施形態に限定されるものではなく、例えば次のような実施形態も本発明の技術的範囲に含まれる。
（１）上記実施形態においては、保護部材１６とリテーナ１５とが一体である例を示したが、保護部材とリテーナとは別体であってもよい。
（２）上記実施形態においては、保護部材１６がゴム等の弾性材料からなる例を示したが、保護部材は合成樹脂性であってもよい。
【符号の説明】
【００２９】
１０…コネクタ
１１…ハウジング
１２…端子収容室
１５…リテーナ
１６…保護部材
１７…受け入れ部
１７Ａ…受け入れ溝
１８…本体部
２０…端子
２１…端子接続部
２３…連結部
２３Ａ…上壁部
２３Ｂ…側壁部
２４…電線接続部
２５…ワイヤバレル片
２６…インシュレーションバレル片
２７…電線
２８…芯線
２９…被覆材
２９Ａ…被覆部
【図１】
2014029768.tif 000003
【図２】
2014029768.tif 000004
【図３】
2014029768.tif 000005
【図４】
2014029768.tif 000006